(57)【要約】  設備内のコンピュータ機器および電力分配機器を設置するためのシステムおよび方法が提供される。一局面では、本発明は、電力分配ラック（２１０Ａ，２１０Ｂ）および無停電電源装置ラック（２０８Ａ，２０８Ｂ）、および複数の機器ラック（２１４）を提供する。複数の電力ケーブル（２９０Ａ〜２９０Ｄ）は、電力分配ラック（２１０Ｂ，２１０Ｂ）から機器ラック（２１４）の屋根上に配置された電力ケーブルトラック（２８２Ａ〜２８２Ｅ）を用いて複数の機器ラック（２１４）の各々まで走らせる。
2005509387.tif 000002
【特許請求の範囲】
【請求項１】
複数の機器ラックであって、該機器ラックの各ラックは、該機器ラックの各々に含まれた機器に給電するために電力を受け取るように少なくとも第１の電力入力を有する、複数の機器ラックと、
該機器ラックに電力を供給する第１の電力分配ラックであって、該第１の電力分配ラックは、電力分配パネルおよび複数の出力電力ケーブルを含み、該出力電力ケーブルの各々は、該電力分配パネルに接続された第１の末端、および複数の機器ラックの少なくとも１つの該第１の電力入力と係合する係合コネクタを有する第２の末端を有する、第１の電力分配ラックと
を含む、機器のための適応可能な電力および取付システム。
【請求項２】
前記複数の機器ラックおよび前記第１の電力分配ラックは、所定の構成で機器ラック内に設置されるように設計されることにより、各ラックは、該電力分配ラックから所定の距離で存在し、前記複数のケーブルの各々は、該複数の機器ラックの各々１つのラックと係合し、該複数のケーブルの各々のケーブルは、該電力分配ラックと該複数のケーブルの１つに対する該複数の機器ラックの各々１つのラックとの間の該所定の距離に基づく長さを有する、請求項１に記載のシステム。
【請求項３】
前記第１の電力分配ラックは、
第１の電源からの第１の電圧値を有する入力電力を受け取るための主電源入力と、
前記複数の出力電力ケーブルに、該第１の電圧よりも低い第２の電圧を有する出力電力を供給するために、該主電力入力および該複数の出力電力ケーブルの各々に接続された変圧器と
をさらに含む、請求項１に記載のシステム。
【請求項４】
前記複数の機器ラックの各々は、第２の電力入力を有し、前記システムは、該複数の機器ラックに電力を供給する第２の電力分配ラックをさらに含み、該第２の電力分配ラックは、電力分配パネルおよび複数の出力電力ケーブルを含み、該出力電力ケーブルの各々は、該第２の電力分配ラックの該電力分配パネルに接続された第１の末端、および該複数の機器ラックの１つの該第２の電源入力と係合する係合コネクタを有する第２の末端を有する、請求項１に記載のシステム。
【請求項５】
前記第２の電力分配ラックは、
第２の電源から第１の電圧値を有する入力電力を受け取るための主電源入力と、
該第２の電力分配ラックの前記複数の出力電力ケーブルに、該第１の電圧よりも低い第２の電圧を有する出力電力を供給するために、該主電源入力および該第２の電源分配ラックの該複数の出力電力ケーブルの各々に接続された変圧器と
をさらに含む、請求項４に記載のシステム。
【請求項６】
前記複数の機器ラックは、第１の末端および第２の末端を有するタイプのロウで構成され、前記第１の電力分配ラックは、該ロウの該第１の末端に隣接し、前記第２の電力分配ラックは、該ロウの該第２の末端に隣接する、請求項５に記載のシステム。
【請求項７】
前記複数の機器ラックの各々は、電力を該ラックの機器に供給するための複数の電力コンセントを有する少なくとも１つのレセプタクルユニットを含む、請求項１に記載のシステム。
【請求項８】
前記機器ラックの１つにおける少なくとも１つのレセプタクルユニットは、前記複数の機器ラックの１つに対する電力入力として機能するコネクタを有する電力コードを有する、請求項７に記載のシステム。
【請求項９】
前記複数の機器ラックの１つにおける少なくとも１つのレセプタクルユニットは、スナップフィットを用いて該機器ラックの１つに除去可能に取付けられる、請求項８に記載のシステム。
【請求項１０】
前記第１の電力分配ラックから前記複数の機器ラックの少なくとも１つに供給された電力が三相電力であり、該複数の機器ラックの１つにおけるレセプタクルユニットのコンセントが、前記入力電力の三相の１つから単相電力を供給するように構成される各群において、少なくとも１つのコンセントと共に少なくとも３つの群に構成される、請求項７に記載のシステム。
【請求項１１】
前記第１の電力分配ラックから前記複数の機器ラックの少なくとも１つに供給された電力が三相電力であり、該複数の機器ラックの１つにおけるレセプタクルユニットのコンセントが、三相電力を供給するように構築された少なくとも１つの群および単相電力を供給するように構築された少なくとも１つの群を有する少なくとも４つの群に構成される、請求項７に記載のシステム。
【請求項１２】
前記複数の機器ラックの少なくとも１つにおけるレセプタクルユニットが過電流条件の検出に応じて少なくとも１つのコンセントへの電力を妨げる過電流デバイスを有する、請求項７に記載のシステム。
【請求項１３】
前記複数の電力ケーブルの各々は、前記電力ケーブルの１つに対する各機器ラックを示すラベルを含む、請求項２に記載のシステム。
【請求項１４】
第１の通信ネットワークをさらに含み、複数のレセプタクルユニットおよび前記電力分配ラックは、該第１の通信ネットワークに接続された通信回路を含む、請求項７に記載のシステム。
【請求項１５】
状態情報を受け取るための前記複数のレセプタクルユニットおよび前記電力分配ラックと通信するために、前記第１の通信ネットワークに接続された第１の通信回路を有するコンソリデータユニットをさらに含む、請求項１４に記載のシステム。
【請求項１６】
前記コンソリデータユニットは、第２の通信ネットワークと通信する第２の通信回路をさらに含む、請求項１５に記載のシステム。
【請求項１７】
前記第１の通信ネットワークは、ネットワークに基づく送電線キャリアであり、前記第２の通信ネットワークは、ネットワークに基づくインターネットプロトコルである、請求項１５に記載のシステム。
【請求項１８】
前記複数の機器ラックの各々１つのラックは、屋根部に取付られた電力ケーブルトラックを有する屋根部を有し、該電力ケーブルトラックは、前記電力分配ラックから該複数の機器ラックの１つのラックに該電力ケーブルの１つを経路設定するために、該少なくとも１つの複数の電力ケーブルの一部を含むように構築かつ構成される、請求項１に記載のシステム。
【請求項１９】
前記屋根部は、電力ケーブルが前記電力ケーブルトラックから前記ラック内に、または該ラック内から該ラックの該屋根部に通過させることを可能にする開口部を有する、請求項１８に記載のシステム。
【請求項２０】
前記複数の機器ラックの第１のラックの前記電力ケーブルトラックは、該複数の機器ラックの第１のラックおよび該複数の機器ラックの第２のラックの屋根部を横切って連続的な電力ケーブルトラックを形成するために、該複数の機器ラックの隣接する第２のラックの該電力ケーブルトラックと係合するように構築されかつ構成される、請求項１９に記載のシステム。
【請求項２１】
前記複数の機器ラックの各々が前記屋根部上に配置されたデータケーブルトラックを含み、該データケーブルトラックおよび前記電力ケーブルトラックの各々がある幅より大きい長さを有し、該データケーブルトラックの各トラックは、該データケーブルトラックの１つのトラックの長さが該機器ラックの該屋根上に取付けられた電力ケーブルトラックの長さに実質的に平行であるように機器ラックの屋根上に取付けられる、請求項１８に記載のシステム。
【請求項２２】
前記電力ケーブルトラックの各トラックは、データケーブルが、前記屋根上のデータケーブルトラックから該電力ケーブルトラックの１つのトラック下および該屋根の開口部を貫通して通過させることを可能にするために、該電力ケーブルトラックの１つと該屋根との間に空間を提供するように、該屋根上のライザー上に取付けられる、請求項２１に記載のシステム。
【請求項２３】
前記複数の機器ラックの第１のラックから該複数の機器ラックの第２のラックまで連続的な電力ケーブルトラックを提供するように、該複数の機器ラックの第１のラック上で電力ケーブルトラックと係合し、該複数の機器ラックの第２のラック上で電力ケーブルトラックと係合するように構成されたブリッジ電力ケーブルトラックをさらに含み、該複数の機器ラックの第１のラックおよび該複数の機器ラックの第２のラックは、通路を通過する該ブリッジ電力ケーブルトラックを用いて該通路によって分離される、請求項１８に記載のシステム。
【請求項２４】
前記電力ケーブルトラックおよび前記ブリッジ電力ケーブルトラックの各々は、ある幅より大きい長さを有し、該ブリッジ電力トラックの長さは、前記複数の機器ラックの第１のラック上の少なくとも１つの前記電力ケーブルトラックおよび該複数の機器ラックの第２のラック上の該電力ケーブルトラックの長さに実質的に垂直である、請求項２３に記載のシステム。
【請求項２５】
複数の電力モジュールおよびバッテリモジュールを有する無停電電源装置（ＵＰＳ）をさらに含み、該ＵＰＳは、前記第１の電力分配ラックに隣接して配置され、該第１の電力分配ラックから入力電力を受け取るために該第１の電力分配ラックに接続された入力を有し、該バッテリモジュールから生じた該入力電力およびバックアップ電力の内の１つを該第１の電力分配ラックに供給する出力を有する、請求項１に記載のシステム。
【請求項２６】
前記機器ラックは、第１の末端および第２の末端を有するロウで構成され、前記第１の電力分配ラックは、該ロウの該第１の末端に隣接して配置される、請求項２５に記載のシステム。
【請求項２７】
前記第１の電力分配ラックは、入力電力を受け取るための第１の入力、前記ＵＰＳに該入力電力を供給するための第１の出力、該ＵＰＳの出力に接続された第２の入力および第２の出力を有するバイパススイッチをさらに含み、該バイパススイッチは、該第１の入力が該第１の出力に接続され、該第２の入力が該第２の出力に接続される第１の電気的位置、および該第１の入力が該第２の出力に接続される第２の電気的位置を有する、請求項２５に記載のシステム。
【請求項２８】
前記第１の電力分配ラックは、
第１の電源から第１の電圧値を有する入力電力を受け取る主電源入力と、
前記出力電力ケーブルに、該第１の電圧よりも低い第２の電圧を有する出力電力を供給するために、該主電源入力および該出力電力ケーブルの各々に接続された変圧器と
をさらに含む、請求項２に記載のシステム。
【請求項２９】
前記複数の機器ラックの各々は、電力を該複数のラックの機器に供給するための複数の電力コンセントを有するレセプタクルユニットを含む、請求項２８に記載のシステム。
【請求項３０】
前記複数の機器ラックの１つにおける少なくとも１つのレセプタクルユニットは、前記複数の機器ラックの１つに対する電力入力として機能するコネクタを有する電力コードを有する、請求項２９に記載のシステム。
【請求項３１】
前記複数の機器ラックの１つにおける少なくとも１つのレセプタクルユニットは、スナップフィットを用いて該複数の機器ラックの１つに除去可能に取付けられる、請求項３０に記載のシステム。
【請求項３２】
前記複数の機器ラックの少なくとも１つに供給された電力が三相電力であり、該複数の機器ラックの１つにおけるレセプタクルユニットのコンセントが、前記入力電力の三相の１つから単相電力を供給するように構成される各群において、少なくとも１つのコンセントを用いて少なくとも３つの群に構成される、請求項２９に記載のシステム。
【請求項３３】
前記第１の電力分配ラックから前記複数の機器ラックの少なくとも１つに供給された電力が三相電力であり、該複数の機器ラックの１つにおけるレセプタクルユニットのコンセントが、三相電力を供給するように構成された少なくとも１つの群および単相電力を供給するように構成された少なくとも１つの群を用いて少なくとも４つの群で構成される、請求項３２に記載のシステム。
【請求項３４】
前記複数の機器ラックの少なくとも１つにおけるレセプタクルユニットが過電流条件の検出に応じて少なくとも１つのコンセントへの電力を妨げる過電流デバイスを有する、
請求項３３に記載のシステム。
【請求項３５】
前記複数の電力ケーブルの各々のケーブルは、前記電力ケーブルの１つに対する各機器ラックを示すラベルを含む、請求項２９に記載のシステム。
【請求項３６】
第１の通信ネットワークをさらに含み、複数のレセプタクルユニットおよび前記電力分配ラックは、該第１の通信ネットワークに接続された通信回路を含む、請求項２９に記載のシステム。
【請求項３７】
状態情報を受け取るための前記複数のレセプタクルユニットおよび前記電力分配ラックと通信するために、前記第１の通信ネットワークに接続された第１の通信回路を有するコンソリデータユニットをさらに含む、請求項３６に記載のシステム。
【請求項３８】
前記コンソリデータユニットは、第２の通信ネットワークと通信する第２の通信回路をさらに含む、請求項３７に記載のシステム。
【請求項３９】
前記第１の通信ネットワークは、ネットワークに基づく送電線キャリアであり、前記第２の通信ネットワークは、ネットワークに基づくインターネットプロトコルである、請求項３８に記載のシステム。
【請求項４０】
前記複数の機器ラックの各々１つのラックは、屋根部に取付られた電力ケーブルトラックを有する屋根部を有し、該電力ケーブルトラックは、前記電力分配ラックから該複数の機器ラックに該電力ケーブルの１つを経路設定するために、該少なくとも１つの複数の電力ケーブルの一部を含むように構築かつ構成される、請求項３６に記載のシステム。
【請求項４１】
前記屋根部は、電力ケーブルが前記電力ケーブルトラックから前記ラック内に、または該ラック内から該ラックの該屋根部に通過させることを可能にする開口部を有する、請求項４０に記載のシステム。
【請求項４２】
前記機器ラックの第１のラックの前記電力ケーブルトラックは、該機器ラックの第１のラックおよび該機器ラックの第２のラックの屋根部を横切って連続的な電力ケーブルトラックを形成するために、該機器ラックの隣接する第２のラックの該電力ケーブルトラックと係合するように構築されかつ構成される、請求項４１に記載のシステム。
【請求項４３】
前記複数の機器ラックの各々が前記屋根部上に取付けられたデータケーブルラックを含み、該データケーブルトラックおよび前記電力ケーブルトラックの各々がある幅より大きい長さを有し、該データケーブルトラックの各トラックは、該データケーブルトラックの１つの長さが該機器ラックの該屋根上に取付けられた電力ケーブルトラックの長さに実質的に平行であるように機器ラックの該屋根上に取付けられる、請求項４０に記載のシステム。
【請求項４４】
前記電力ケーブルトラックの各トラックは、データケーブルが、前記屋根上のデータケーブルトラックから該電力ケーブルトラックの１つの下および該屋根の開口部を貫通して通過させることを可能にするために、該電力ケーブルトラックの１つと該屋根との間に空間を提供するように、該屋根上のライザー上に取付けられる、請求項４３に記載のシステム。
【請求項４５】
前記機器ラックの第１のラックから該機器ラックの第２のラックまで連続的な電力ケーブルトラックを提供するように、該複数の機器ラックの第１のラック上で電力ケーブルトラックと係合し、該複数の機器ラックの第２のラック上で電力ケーブルトラックと係合するように構成されたブリッジ電力ケーブルトラックをさらに含み、該複数の機器ラックの第１のラックおよび該機器ラックの第２のラックは、通路を通過する該ブリッジ電力ケーブルトラックを用いて該通路によって分離される、請求項４４に記載のシステム。
【請求項４６】
前記電力ケーブルトラックおよび前記ブリッジ電力ケーブルトラックの各々は、ある幅より大きい長さを有し、該ブリッジ電力トラックの長さは、前記複数の機器ラックの第１のラック上の少なくとも１つの前記電力ケーブルトラックおよび該複数の機器ラックの第２のラック上の該電力ケーブルトラックの長さに実質的に垂直である、請求項４５に記載のシステム。
【請求項４７】
複数の電力モジュールおよびバッテリモジュールを有する無停電電源装置（ＵＰＳ）をさらに含み、該ＵＰＳは、前記第１の電力分配ラックに隣接して配置され、該第１の電力分配ラックから入力電力を受け取るために該第１の電力分配ラックに接続された入力を有し、該バッテリモジュールから生じた該入力電力およびバックアップ電力の内の１つを該第１の電力分配ラックに供給する出力を有する、請求項４３に記載のシステム。
【請求項４８】
前記複数の機器ラックの各々は、第２の電源入力を有し、前記システムは、該複数の機器ラックに電力を供給する第２の電力分配ラックをさらに含み、該第２の電力分配ラックは、電力分配パネルおよび複数の出力電力ケーブルを含み、該出力電力ケーブルの各々は、該第２の電力分配ラックの該電力分配パネルに接続された第１の末端、および該複数の機器ラックの少なくとも１つの該第２の電源入力と係合する係合コネクタを有する第２の末端を有する、請求項４７に記載のシステム。
【請求項４９】
前記第２の電力分配ラックは、
第２の電源から第１の電圧値を有する入力電力を受け取るための主電源入力と、
該第２の電力分配ラックの前記出力電力ケーブルに、該第１の電圧よりも低い第２の電圧を有する出力電力を供給するために、該主電力入力および該出力電力ケーブルの各々に接続された変圧器と
をさらに含む、請求項４８に記載のシステム。
【請求項５０】
前記複数の機器ラックは、第１の末端および第２の末端を有するタイプのロウで構成され、前記第１の電力分配ラックは、該ロウの該第１の末端に隣接し、前記第２の電力分配ラックは、該ロウの該第２の末端に隣接する、請求項４９に記載のシステム。
【請求項５１】
前記第１の電力分配ラックは、入力電力を受け取るための第１の入力、前記ＵＰＳに該入力電力を供給するための第１の出力、該ＵＰＳの出力に接続された第２の入力および第２の出力を有するバイパススイッチをさらに含み、該バイパススイッチは、該第１の入力が該第１の出力に接続され、該第２の入力が該第２の出力に接続される第１の電気的位置、および該第１の入力が該第２の出力に接続される第２の電気的位置を有する、請求項５０に記載のシステム。
【請求項５２】
機器のための適応可能な電力および取付システムであって、
複数の機器ラックであって、該機器ラックの各ラックは、該機器ラックの各々に含まれた機器に給電するために電力を受け取るように少なくとも第１の電力入力を有する、複数の機器ラックと、
該機器ラックに電力を供給するための第１の電力分配ラックであって、該第１の電力分配ラックは、電力分配パネルおよび第１の複数の出力電力ケーブルを含み、該出力電力ケーブルの各々は、該電力分配パネルに接続された第１の末端、および複数の機器ラックの少なくとも１つの該第１の電力入力と係合する第２の末端を有する、第１の電力分配ラックと、
少なくとも１つのバッテリを有する無停電電源装置（ＵＰＳ）であって、該ＵＰＳは、
前記第１の電力分配ラックに隣接して配置され、該第１の電力分配ラックから入力電力を受け取るために該第１の電力分配ラックに接続された入力を有し、該少なくとも１つのバッテリモジュールから生じた該入力電力およびバックアップ電力の内の１つを該第１の電力分配ラックに供給する出力を有する、無停電電源装置（ＵＰＳ）と
を含み、
該第１の電力分配ラックは、入力電力を受け取るための第１の入力、該ＵＰＳに該入力電力を供給するための第１の出力、該ＵＰＳの出力に接続された第２の入力および第２の出力を有するバイパススイッチをさらに含み、該バイパススイッチは、該第１の入力が該第１の出力に接続され、該第２の入力が該第２の出力に接続される第１の電気的位置、および該第１の入力が該第２の出力に接続される第２の電気的位置を有する、機器のための適応可能な電力および取付システム。
【請求項５３】
前記複数の機器ラックの各々は、第２の電源入力を有し、前記システムは、該複数の機器ラックに電力を供給する第２の電力分配ラックをさらに含み、該第２の電力分配ラックは、電力分配パネルおよび第２の複数の出力電力ケーブルを含み、該出力電力ケーブルの各々は、該第２の電力分配ラックの該電力分配パネルに接続された第１の末端、および該複数の機器ラックの少なくとも１つの該第２の電力入力と係合する係合コネクタを有する第２の末端を有する、請求項５２に記載のシステム。
【請求項５４】
前記第１の電力分配ラックは、
第１の電源から第１の電圧値を有する入力電力を受け取るための主電源入力と、
該第１の電圧よりも低い第２の電圧を有する出力電力を供給するために、該主電源入力および前記バイパススイッチの第１の入力に接続された変圧器と
をさらに含む、請求項５３に記載のシステム。
【請求項５５】
前記機器ラックは、第１の末端および第２の末端を有するタイプのロウで構成され、前記第１の電力分配ラックは、該ロウの該第１の末端に隣接し、前記第２の電力分配ラックは、該ロウの該第２の末端に隣接する、請求項５４に記載のシステム。
【請求項５６】
前記ＵＰＳは、複数の独立して除去可能な電力モジュールおよび独立して除去可能なバッテリモジュールを有する調整可能なＵＰＳである、請求項５２に記載のシステム。
【請求項５７】
機器のための適応可能な電力および取付システムであって、
複数の機器ラックであって、該機器ラックの各ラックは、該機器ラックの各々に含まれた機器に給電するために電力を受け取るように少なくとも第１の電力入力を有する、複数の機器ラックと、
該機器ラックに電力を供給するための第１の電力分配ラックであって、該第１の電力分配ラックは、電力分配パネルおよび複数の出力電力ケーブルを含み、該出力電力ケーブルの各々は、該電力分配パネルに接続された第１の末端、および複数の機器ラックの少なくとも１つの該第１の電力入力と係合する係合コネクタを有する第２の末端を有する、第１の電力分配ラックと
を含み、
該複数の機器ラックの各々１つのラックは、屋根部に取付られた電力ケーブルトラックを有する屋根部を有し、該電力ケーブルトラックは、前記第１の電力分配ラックから該機器ラックの１つに該電力ケーブルの１つを経路設定するために、該少なくとも１つの複数の電力ケーブルの一部を含むように構築かつ構成される、機器のための適応可能な電力および取付システム。
【請求項５８】
前記屋根部は、電力ケーブルが前記電力ケーブルトラックから前記ラック内に、または該ラック内から該ラックの該屋根部に通過させることを可能にする開口部を有する、請求項５７に記載のシステム。
【請求項５９】
前記機器ラックの第１のラックの前記電力ケーブルトラックは、該機器ラックの第１のラックおよび該機器ラックの第２のラックの屋根部を横切って連続的な電力ケーブルトラックを形成するために、該機器ラックの隣接する第２のラックの該電力ケーブルトラックと係合するように構築されかつ構成される、請求項５８に記載のシステム。
【請求項６０】
前記複数の機器ラックの各々が前記屋根部上に取付られたデータケーブルラックを含み、該データケーブルトラックおよび前記電力ケーブルトラックの各々がある幅より大きい長さを有し、該データケーブルトラックの各トラックは、該データケーブルトラックの１つの長さが該機器ラックの該屋根上に取付けられた電力ケーブルトラックの長さに実質的に平行であるように機器ラックの屋根上に取付けられる、請求項５７に記載のシステム。
【請求項６１】
前記電力ケーブルトラックの各トラックは、データケーブルが、前記屋根上のデータケーブルトラックから該電力ケーブルトラックの１つのトラックの下および該屋根の開口部を貫通して通過させることを可能にするために、該電力ケーブルトラックの１つと該屋根との間に空間を提供するように、該屋根上のライザー上に取付けられる、請求項６０に記載のシステム。
【請求項６２】
前記機器ラックの第１のラックから該機器ラックの第２のラックまで連続的な電力ケーブルトラックを提供するように、該複数の機器ラックの第１のラック上で電力ケーブルトラックと係合し、該複数の機器ラックの第２のラック上で電力ケーブルトラックと係合するように構成されたブリッジ電力ケーブルトラックをさらに含み、該複数の機器ラックの第１のラックおよび該複数の機器ラックの第２のラックは、通路を通過する該ブリッジ電力ケーブルトラックによって該通路によって分離される、請求項５７に記載のシステム。
【請求項６３】
前記電力ケーブルトラックおよび前記ブリッジ電力ケーブルトラックの各々は、ある幅より大きい長さを有し、該ブリッジ電力トラックの長さは、前記複数の機器ラックの第１のラック上の１つの前記電力ケーブルトラックおよび該複数の機器ラックの第２のラック上の１つの該電力ケーブルトラックの長さに実質的に垂直である、請求項６２に記載のシステム。
【請求項６４】
複数の機器ラックにおける機器を設備内で設置するための方法であって、
電力分配パネルを有する第１の電力分配ラックを提供するステップと、
該第１の電力分配ラックおよび該複数の機器ラックに対する場所を該設備内で決定するステップと、
該複数の機器ラックおよび該第１の電力分配ラックの場所に基づいて、第１の複数の電力ケーブルの各々１つのケーブルが該第１の電力分配ラックと該複数の機器ラックの１つのラックとの間で、該電力分配パネルに接続された各電力ケーブルの第１の末端および複数の機器ラックの１つに接続された第２の末端に接続され得るように、該第１の複数の電力ケーブルの各々１つのケーブルの必要な長さを決定するステップと、
該第１の複数のケーブルの各々の該第１の末端を該電力分配パネルに接続するステップと、
該複数の機器ラックの各々の入力コネクタと係合するように選択された、該第１の複数のケーブルの各々の該第２の末端上にコネクタを設置するステップと
を含む、複数の機器ラックにおける機器を設備内で設置するための方法。
【請求項６５】
前記コネクタの設置後、前記設備に送るための前記第１の複数のケーブルおよび前記電力分配ラックをパッケージングするステップをさらに含む、請求項６４に記載の方法。
【請求項６６】
前記複数の設備ラックの各々は、該ラックに取付けられた電力ケーブルトラックを有する屋根を含み、
前記第１の電力分配ラックの上部における穴から出る前記第１の複数の電力ケーブルの各々を経路設定するステップと、
該電力ケーブルトラックの少なくとも１つを介して該複数の電力ケーブルの各々を経路設定するステップと、
該第１の複数の電力ケーブルの各々の前記第２の末端上のコネクタを該複数の機器ラックの１つの第１の電力入力ケーブルのコネクタと係合させるステップと
をさらに含む、請求項６５に記載の方法。
【請求項６７】
前記第２の末端上のコネクタを前記第１の電力入力ケーブルのコネクタと係合させる前に、前記複数の機器ラックの少なくとも１つにおける該第１の電力入力ケーブルを含む第１の電力レセプタクルユニットを取付けるステップをさらに含む、請求項６６に記載の方法。
【請求項６８】
電力分配パネルを有する第２の電力分配ラックを提供するステップと、
該第２の電力分配ラックの前記設備内の場所を決定するステップと、
前記複数の機器ラックおよび該第２の電力分配ラックの場所に基づいて、該第２の複数の電力ケーブルの各々１つのケーブルが該第２の電力分配ラックと該複数の機器ラックの１つのラックとの間で、該第２の電力分配ラックの該電力分配パネルに接続された該第２の複数の電力ケーブルの各々の第１の末端および該複数の機器ラックの１つに接続された第２の末端に接続され得るように、第２の複数の電力ケーブルの各々１つのケーブルの必要な長さを決定するステップと、
該第２の複数の電力ケーブルの各々の該第１の末端を該第２の電力分配ラックの該電力分配パネルに接続するステップと、
該複数の機器ラックの各々の入力コネクタと係合するように選択された、該第２の複数のケーブルの各々の該第２の末端上にコネクタを設置するステップと
をさらに含む、請求項６７に記載の方法。
【請求項６９】
前記第２の複数のケーブルの各々の前記第２末端上への前記コネクタの設置後、前記設備に送るための前記第２の複数のケーブルおよび前記第２の電力分配ラックをパッケージングするステップをさらに含む、請求項６８に記載の方法。
【請求項７０】
前記第２の電力分配ラックの上部における穴から出る前記第２の複数の電力ケーブルの各々を経路設定するステップと、
該電力ケーブルトラックの少なくとも１つを介して該第２の複数の電力ケーブルの各々を経路設定するステップと、
該第２の複数の電力ケーブルの各々のケーブルの前記第２の末端上のコネクタを該複数の機器ラックの１つの第２の電力入力ケーブルのコネクタと係合させるステップと
をさらに含む、請求項６９に記載の方法。
【請求項７１】
各ケーブルの前記第２の末端上のコネクタを前記第２の電力入力ケーブルのコネクタと係合させる前に、前記複数の機器ラックの少なくとも１つにおける該第２の電力入力ケーブルを含む第２の電力レセプタクルユニットを取付けるステップをさらに含む、請求項７０に記載の方法。
【請求項７２】
前記第１の複数の電力ケーブルの必要な長さを決定するステップは、前記複数の機器ラックおよび前記第１の電力分配ラックの設備内の場所を決定するためにコンピュータ支援設計プログラムを用いるステップを含む、請求項７１に記載の方法。
【請求項７３】
前記第１の電力分配ラックに隣接する第１の無停電電源装置を設置するステップおよび前記第２の電力分配ラックに隣接する第２の無停電電源装置を設置するステップをさらに含む、請求項７２に記載の方法。
【請求項７４】
前記複数の設備ラックの各々は、該ラックに取付けられた電力ケーブルを有する屋根を含み、
前記第１の電力分配ラックの上部における穴から出る前記第１の複数の電力ケーブルの各々を経路設定するステップと、
前記電力ケーブルトラックの少なくとも１つを介して該複数の電力ケーブルの各々を経路設定するステップと、
該第１の複数の電力ケーブルの各々の前記第２の末端上のコネクタを該複数の機器ラックの１つの第１の電力入力ケーブルのコネクタと係合させるステップと
をさらに含む、請求項６４に記載の方法。
【請求項７５】
前記第２の末端上のコネクタを前記電力入力ケーブルのコネクタと係合させる前に、前記複数の機器ラックの少なくとも１つにおける前記第１の電力入力ケーブルを含む第１の電力レセプタクルユニットを取付けるステップをさらに含む、請求項７４に記載の方法。
【請求項７６】
電力分配パネルを有する第２の電力分配ラックを提供するステップと、
該第２の電力分配ラックの前記設備内の場所を決定するステップと、
前記複数の機器ラックおよび該第２の電力分配ラックの場所に基づいて、該第２の複数の電力ケーブルの各々１つのケーブルが該第２の電力分配ラックと該複数の機器ラックの１つのラックとの間で、該第２の電力分配ラックの該電力分配パネルに接続された該第２の複数の電力ケーブルの各々の第１の末端および該複数の機器ラックの１つに接続された第２の末端に接続され得るように、第２の複数の電力ケーブルの各々１つのケーブルの必要な長さを決定するステップと、
該第２の複数の電力ケーブルの各々の該第１の末端を該第２の電力分配ラックの該電力分配パネルに接続するステップと、
該複数の機器ラックの各々の入力コネクタと係合するように選択された、該第２の複数のケーブルの各々の該第２の末端上にコネクタを設置するステップと
をさらに含む、請求項６４に記載の方法。
【請求項７７】
前記第２の電力分配ラックの上部における穴から出る前記第２の複数の電力ケーブルの各々を経路設定するステップと、
前記電力ケーブルトラックの少なくとも１つを介して該第２の複数の電力ケーブルの各々を経路設定するステップと、
該第２の複数の電力ケーブルの各々の前記第２の末端上のコネクタを該複数の機器ラックの１つの第２の電力入力ケーブルのコネクタと係合させるステップと
をさらに含む、請求項７６に記載の方法。
【請求項７８】
各ケーブルの前記第２の末端上のコネクタを前記第２の電力入力ケーブルのコネクタと係合させる前に、前記複数の機器ラックの少なくとも１つにおける該第２の電力入力ケーブルを含む第２の電力レセプタクルユニットを取付けるステップをさらに含む、請求項７７に記載の方法。
【請求項７９】
前記第１の複数の電力ケーブルの必要な長さを決定するステップは、前記複数の機器ラックおよび前記第１の電力分配ラックの設備内の場所を決定するためにコンピュータ支援設計プログラムを用いるステップを含む、請求項６４に記載の方法。
【請求項８０】
ラック内に含まれた無停電電源装置を提供するステップをさらに含み、該無停電電源装置は、バックアップ電力を供給するためのバッテリ、前記第１の電力分配ラックから電力を受け取るための電力入力、および該第１の電力分配ラックおよび該バックアップ電力から受け取られた電力の内の１つの電力を前記電力分配ラックに供給するための電力出力を有する、請求項６４に記載の方法。
【請求項８１】
前記複数の機器ラックの各々は、前記屋根に取付けられたデータケーブルトラックを有し、前記方法は、前記第１の複数の機器ラックの第１のデバイスから前記第２の複数の機器ラックの第２のデバイスに該少なくとも１つのデータケーブルトラックを介して経路設定するステップをさらに含む、請求項６４に記載の方法。
【発明の詳細な説明】
【技術分野】
【０００１】
（発明の分野）
本発明は、概して電力分配を提供し、かつ電子機器のための設備を取付けるためのシステムおよび方法に関し、より詳細には、データセンターおよび他の設備にコンピュータおよびコンピュータ関連機器を設置および給電するための方法および装置に関する。
【背景技術】
【０００２】
（発明の背景）
コンピュータ、通信、および他の電子設備のための中央化されたデータセンターは、何年もの間使用されてきた。そしてより最近では、インターネットの使用の増大に伴って、インターネットサービスプロバイダ（ＩＳＰ）、アプリケーションサービスプロバイダ（ＡＳＰ）、およびインターネットコンテンツプロバイダにホスティングサービスを提供する大規模データセンターが著しく普及しつつある。典型的な中央化されたデータセンターは、電力、冷却および通信設備への接続を必要とする多くの機器のラックを含む。上げ床を使用することは、データセンターで一般的であり、その下で、電力ケーブルおよび通信ケーブルは、機器のラック間および設備分配パネルまで延び得る。さらに、機器のラックに冷却を提供するための空気プレナムとして上げ床の下に空間を使用することが一般的である。いくつかの設備では、上げ床を使用する代わりにまたはそれに加えて、上方のケーブルラダーが設備にわたってケーブルを経路設定するために使用される。これらのケーブルラダーは、典型的には、設備の天井における支持部材を締付ける。
【０００３】
しばしば、データセンター内で機器を、１週間７日、１日２４時間、サービスの破壊がほとんどなくまたは破壊がなく動作させることが望ましい。サービスの任意の破壊を避けるために、データセンター内の機器が、任意の停電または電圧低下期間にわたって連続的な電力を受け取ることを確実にするように、無停電電源装置（ＵＰＳ）を使用することは、データセンターの通常の実施である。典型的には、データセンターは、設備のための主電源分配パネルにおいて比較的大きいＵＰＳを備える。しばしば、ＵＰＳは、設備内の機器の全てに対する電力要求を満たすのに十分な能力を有するように選択される４８０ボルト三相ユニットである。
【０００４】
データ設備内の機器は、典型的には１２０ボルトまたは２０８ボルトの入力電力要求を有し、ステップダウン変圧器を有する電力分配ユニットは、しばしば、ＵＰＳの出力と機器ラックのための電力供給との間で使用され、機器ラックのために４８０ボルトの入力電圧を１２０ボルトまたは２０８ボルトに低下させる。回路遮断器パネルは、典型的にはＰＤＵ内に設置されるかまたはＰＤＵ付近に取付けられる。
【０００５】
データセンターの従来の設計関するいくつかの欠点が存在する。第１に、上げ床が高価であり、高い天井を有しない等のいくつかの設備で容易に適応され得ない。第２に、上げ床の下にあるケーブルの経路設定は、しばしば、「ねずみの巣」を作らせ、しばしば、不可能でない場合、上げ床の下の特定のケーブルを配置させることが困難になる。さらに、新しい設備を、上げ床を有するデータセンターに追加することが望ましい場合、その床の下に以前に存在したケーブルを引っ張ることがしばしば困難になり、床の下のケーブルの構成は、冷却空気が電子機器ラックに床の下に流れることをしばしば妨げる。さらに、多くの配置において、コードを構築することは、高価な金属クラッドケーブル配線が上げ床の下に配置された電力ケーブルのために使用されることを必要とする。
【０００６】
データセンターの天井に沿って延びるケーブルラダーの使用は、上述の上げ床の多くの欠点を克服するが、ケーブルラダーの使用もまたいくつかの欠点を有する。ケーブルラダーは幾分設置するのが困難であり、上げ床と同様に、高い天井を有さない設備に容易に適応させることができない。典型的には、ケーブルラダーが使用される場合、ラダーの場所は、データセンターの最初の設計の間に決定される。その後、そのラダーは、新しい機器をデータセンターに加えるかまたは機器を移動させるために必要となる場合、ラダーの場所は、機器ラックに近接し得ず、ラックまでケーブルの長い延長を必要とする。さらに、ラダーから機器ラックまでのケーブルラダーおよび延長は、典型的には十分実現されており、しばしばデータセンターを混雑させおよび／または乱雑にするように見える。
【０００７】
従来のデータセンターの別の設計の別の欠点は、設備に対するＵＰＳのサイズを選択する場合の困難を含む。簡単に上述されたように、多くのより新しいデータセンターは、空間およびユーティリティを実質的にインターネットコンテンツプロバイダまたはインターネットサービスプロバイダに貸し出すウエブホスティング設備として使用される。しばしば、これらのデータセンターが最初に設計される場合、その設備の最終的な電力要求が公知ではなく、設備が十分に使用されるようになることは、あるとしてもある期間で頻繁ではない。ＵＰＳが全容量に対して選択される場合、設備がある期間で全体の容量未満で実質的に動作され、設備のオーバーヘッドコストは、ＵＰＳのコストにより望ましくなく高くなる。さらに、ＵＰＳに関連付けられた電力損失が存在する。ＵＰＳが実質的に全容量未満で動作する場合、これらの損失は、設備の全電力消費と比較した場合に重要となり得る。設備に対するＵＰＳが全容量未満である場合、この設備の利用が増大すると、ＵＰＳは、かなりのコストで置換される必要があり得る。
【０００８】
いくつかの設備では、ＵＰＳは、より小さいＵＰＳが使用されることを可能にし、より高い柔軟性を提供する設備にわたって分配される。このアプローチを有する１つの問題は、ラックへの配線に加えたＵＰＳの設置は、電気技術者をしばしば必要とする。さらに、電力分配ユニットは、しばしば、分配されたＵＰＳの各々とＵＰＳが電力供給する負荷との間で必要とされる。これらの電力分配ユニットは、しばしばデータセンター内で十分適合しない嵩高いアイテムであり、および／または回路遮断器パネルが取付けられ得る壁付近の配置を必要とし得る。
【発明の開示】
【課題を解決するための手段】
【０００９】
（発明の要旨）
本発明の第１の局面は、設備のための適用可能な電力および取付システムに関する。このシステムは複数の機器ラックを含む。この機器ラックの各々１つのラックは、この機器ラックの各々に含まれた電力機器への電力を受け取るための少なくとも第１の電力入力を有する。このシステムは、機器ラックに電力を供給する第１の電力分配ラック、電力分配パネルを含む第１の電力分配ラック、および複数の出力電力ケーブルをさらに含み、複数の出力電力ケーブルの各々は、電力分配パネルに接続された第１の末端および複数の機器ラックの少なくとも１つの第１の電力入力に係合する係合コネクタを有する第２の末端を有する。
【００１０】
複数の機器ラックおよび第１の電力分配ラックは、所定の構成で設備内に設置されるように設計され得ることにより、各ラックは、電力分配ラックから所定の距離にあり、複数のケーブルの各々は、複数のラックの各々１つのラックに係合し、複数のケーブルの各々１つのケーブルは、電力分配ラックと複数のケーブルの１つに対する複数の機器ラックの各々１つのラックとの間の所定の距離に基づく長さを有する。第１の電力分配ラックは、第１の電源からの第１の電圧値を有する入力電力を受け取るための主電力入力と、第１の電圧よりも低い第２の電圧を有する出力電力を複数の出力電力ケーブルに供給するために、主電源入力および複数の出力電源ケーブルの各々に接続された変圧器とをさらに含み得る。
【００１１】
複数の機器ラックの各々は、第２の電力ユニットを有し得、そのシステムは、電力を複数の機器ラックに供給する第２の電力分配ラックをさらに含み得、第２の電力分配ラックは、電力分配パネルおよび複数の出力電力ケーブルを含み、複数の出力電力ケーブルの各々は、第２のパワー分配ラックの電力分配パネルに接続された第１の末端および複数の機器ラックの１つの第２の電源入力と係合する係合コネクタを有する第２の末端を有する。第２の電力分配ラックは、第２の電源からの第１の電圧値を有する入力電力を受け取るための主電力入力と、第１の電圧よりも低い第２の電圧を有する出力電力を第２の電力分配ラックの複数の出力電力ケーブルに供給するために、主電源入力および第２の電源分配ラックの出力電力ケーブルの各々に接続された変圧器とをさらに含み得る。複数の機器ラックは、第１および第２の末端を有するロウのタイプに構成され得、ロウの第１の末端に隣接する第１の電力分配ラックおよびロウの第２の末端に隣接する第２の電力分配ラックを有する。
【００１２】
複数の機器ラックの各々は、電力をラックの機器に供給するための複数の電源コンセント（ｐｏｗｅｒ  ｏｕｔｌｅｔ）を有する少なくとも１つのレセプタクルユニットを含み得る。機器ラックの１つにおいて少なくとも１つのレセプタクルユニットは、複数の機器ラックの１つの電力入力として機能するコネクタを有するパワーコードを有し得る。複数の機器ラックの１つにおける少なくとも１つのレセプタクルユニットは、スナップフィット（ｓｎａｐ  ｆｉｔ）を用いて機器ラックの１つに除去可能に取付けられ得る。第１の電力分配ラックから複数の機器ラックの少なくとも１つに供給された電力は、三相電力であり得、複数の機器ラックの１つにおけるレセプタクルユニットのコンセントは、入力三相電力の１つから単相電力を供給するために構成された各群の少なくとも１つのコンセントを用いて少なくとも３つの群に構成され得る。複数の機器ラックの少なくとも１つにおけるレセプタクルユニットは、過電流条件の検出に応じて少なくとも１つのコンセントへの電力を妨害する過電流デバイスを有し得る。複数の電力ケーブルの各々は、電力ケーブルの１つに対して各機器ラックを示すラベルを含み得る。
【００１３】
システムは、第１の通信ネットワークをさらに含み、複数のレセプタクルユニットおよび電力分配ラックは、第１の通信ネットワークに接続された通信回路を含み得る。このシステムは、状態情報を受信するために複数のレセプタクルユニットおよび電力分配ラックと通信するために、第１の通信ネットワークに接続された第１の通信回路を有するコンソリデータ（ｃｏｎｓｏｌｉｄａｔｏｒ）ユニットをさらに含み得る。このコンソリデータユニットは、第２の通信ネットワークと通信するための第２の通信回路をさらに含み得る。第１の通信ネットワークは、ネットワークに基づく送電線媒体であり得、第２の通信ネットワークは、ネットワークに基づくインターネットプロトコルであり得る。
【００１４】
複数の機器ラックの各々は、屋根部に取付けられた電力ケーブルトラックを有する屋根部を有し得、この電力ケーブルトラックは、電力分配ラックから複数の機器ラックの１つに電力ケーブルの１つを経路設定するために少なくとも１つの複数の電力ケーブルの一部を含むように構築かつ構成される。この屋根部は、電力ケーブルが電力ケーブルトラックからラック内部またはラック内部からラックの屋根を通過させることを可能にする開口部を有し得る。複数の機器ラックの内の第１のラックの電力ケーブルトラックは、複数の機器ラックの内の第１のラックおよび複数の機器ラックの内の第２のラックの屋根部を横切って連続的な電力ケーブルトラックを形成するために、複数の機器ラックの第２のラックに隣接する電力ケーブルトラックと係合するように構築かつ配置され得る。複数の機器ラックの各々は、屋根部に取付けられたデータケーブルトラックを含み得、データケーブルトラックおよび電力ケーブルトラックの各々は、データケーブルトラックの１つの長さは、機器ラックの屋根上に取付けられた電力ケーブルトラックの長さに実質的に平行であるように、ある幅より大きい長さを有し得、データケーブルトラックの各々１つのトラックは、機器ラックの屋根に取付けられ得る。電力ケーブルトラックの各々１つのトラックは、データケーブルトラックから電力ケーブルトラックの１つの下方および屋根の開口部を貫通して通過することを可能にするように、電力ケーブルトラックの１つと屋根との間の空間を提供するために、屋根のライザーに取付けられ得る。このシステムは、複数の機器ラックの第１のラック上の電力ケーブルトラックと係合するため、および複数の機器ラックの第２のラック上の電力ケーブルトラックと係合するために構成されたブリッジ電力ケーブルトラックをさらに含み、複数の機器ラックの第１のラックから複数の機器ラックの第２のラックに連続的な電力ケーブルトラック提供し得る。複数の機器ラックの第１のラックおよび複数の機器ラックの第２のラックは、通路を越えるブリッジ電力ケーブルを有する通路によって分離される。
【００１５】
システムは、複数の電力モジュールおよびバッテリモジュールを有する無停電電源装置（ＵＰＳ）をさらに含み得、ＵＰＳは、第１の電力分配ラックに隣接して配置され、第１の電力分配ラックから入力電力を受け取るように第１の電力分配ラックに接続された入力を有し、バッテリモジュールから生じた入力電力およびバックアップ電力の内の１つを第１の電力分配ラックに供給するための出力を有する。
【００１６】
本発明の別の局面は、適応可能な電力および機器のための取付システムに関する。このシステムは複数の機器ラック（この機器ラックの各々１つのラックは、機器ラックのおのおのに含まれた電力機器への電力を受け取るための少なくとも１つの第１の電力入力を有する）と、電力を機器ラックに供給する第１の電力分配ラック（この第１の電力分配ラックは、電力分配パネルおよび第１の複数の出力電力ケーブルを含み、複数の出力電力ケーブルの各々は、電力分配パネルに接続された第１の末端および複数の機器ラックの少なくとも１つの第１の電力入力と係合する第２の末端を有する）と、少なくとも１つのバッテリを有する無停電電源装置（ＵＰＳ）（このＵＰＳは、第１の電力分配ラックに隣接して配置され、第１の電力分配ラックから入力電力を受け取るように第１の電力分配ラックに接続された入力を有し、少なくとも１つのバッテリから生じた入力電力およびバックアップ電力の内の１つを第１の電力分配ラックに供給するための出力を有する）とを含む。第１の電力分配ラックは、入力電力を受け取るための第１の入力、その入力電力をＵＰＳに供給するための第１の出力、ＵＰＳの出力および第２の出力に接続された第２の入力を有するバイパススイッチをさらに含み、このバイパススイッチは、第１の入力が第１の出力に接続され、第２の入力が第２の出力に接続される第１の電気的位置と、その第１の入力がその第２の入力に接続される第２の電気的位置とを有する。
【００１７】
複数の機器ラックの各々は、第２の電力入力を有し得、そのシステムは、電力を機器ラックに供給する第２の分配ラックをさらに含み得、この第２の電力分配ラックは、電力分配パネルおよび第２の複数の出力電力ケーブルを含み、この第２の複数の出力電力ケーブルの各々は、第２の電力分配ラックの電力分配パネルに接続された第１の末端および複数の機器ラックの少なくとも１つの第２の電力入力と係合する第２の末端を有する。
【００１８】
本発明のさらに別の局面では、適応可能な電力および取付システムは、複数の機器ラック（機器ラックの各１つは、機器ラックの各々に含まれた電力機器への電力を受け取るために少なくとも第１の電力入力を有する）と、機器ラックに電力を供給する第１の電力分配ラック（第１の電力分配ラックは、電力分配パネルおよび複数の出力電力ケーブルを含み、複数の出力電力ケーブルの各々は、電力分配パネルに接続された第１の末端および複数の機器ラックの少なくとも１つの第１の電力入力と係合する第２の末端を有する）とを含む。複数の機器ラックの各々１つのラックは、屋根部に取付けられた電力ケーブルトラックを有する屋根部を有し、この電力ケーブルトラックは、第１の電力分配ラックから機器ラックの１つに電力ケーブルの１つを経路設定するために複数のパワーケーブル少なくとも一部を含むように構築かつ配置される。屋根部は、パワーケーブルトラックから機器ラック内部または機器ラック内部からラックの屋根まで電力ケーブルが通過することを可能にする開口部を有し得る。機器ラックの第１のラックの電力ケーブルトラックは、機器ラックの第１のラックおよび機器ラックの第２のラックの屋根部を横切って連続的な電力ケーブルトラックを形成するように機器ラックに隣接する第２のラックの電力ケーブルトラックと係合するように構築かつ配置され得る。
【００１９】
本発明のさらに別の局面は、設備内の複数の装置ラックに機器を設置する方法に関する。本方法は、電力分配パネルを有する第１の電力分配ラックを提供するステップと、複数の機器ラックおよび第１の電力分配ラックの場所に基づいて、第１の電力分配ラックおよび複数の機器ラックの設備内の場所を決定するステップと、第１の複数の電力ケーブルの各々１つのケーブルが第１の電力分配ラックと複数の機器ラックの１つとの間で、電力分配パネルに接続された各電力ケーブルの第１の末端および複数の機器ラックの１つに接続された第２の末端に接続され得るように、第１の複数の電力ケーブルの各々１つのケーブルの必要な長さを決定するステップと、第１の複数のケーブルの各々の第１の末端を電力分配パネルに接続するステップと、複数の機器ラックのそれぞれの入力コネクタと係合するように選択された、第１の複数のケーブルの各々の第２の末端上にコネクタを設置するステップとを含む。
【００２０】
本方法は、コネクタの設置後に、設備に送るための第１の複数のケーブルおよび電力分配ラックをパッケージングするステップをさらに含み得る。各々の複数の設備ラックは、そのラックに取付けられた電力ケーブルトラックを有する屋根を含み得、本方法は、第１の電力分配ラックの上部における穴から出る第１の複数の電力ケーブルの各々を経路設定するステップと、電力ケーブルトラックの少なくとも１つを介して複数の電力ケーブルの各々を経路設定するステップと、第１の複数の電力ケーブルの各々の第２の末端上でコネクタを複数の機器ラックの１つの第１の電力入力ケーブルのコネクタと係合させるステップをさらに含み得る。本方法は、第２の末端上でコネクタを第１の電力入力ケーブルのコネクタと係合させる前に、複数の機器ラックの少なくとも１つにおける第１の電力入力ケーブルを含む第１の電力レセプタクルユニットを取付けるステップをさらに含み得る。本方法は、電力分配パネルを有する第２の電力分配ラックを提供するステップと、複数の機器ラックおよび第２の電力分配ラックの場所に基づいて、第２の電力分配ラックの設備における場所を決定するステップと、第２の複数の電力ケーブルの各々１つのケーブルが第２の電力分配ラックと複数の機器ラックの１つとの間で、第２の電力分配ラックの電力分配パネルに接続された各第２の複数の電力ケーブルの第１の末端および複数の機器ラックの１つに接続された第２の末端に接続され得るように、第２の複数の電力ケーブルの各々１つのケーブルの必要な長さを決定するステップと、第２の複数のケーブルの各々の第１の末端を第２の電力分配ラックの電力分配パネルに接続するステップと、複数の機器ラックのそれぞれの入力コネクタと係合するように選択された、第２の複数のケーブルの各々の第２の末端上にコネクタを設置するステップとをさらに含み得る。
【００２１】
本発明のより良好な理解のために、図面に対する参照がなされ、この図面は本明細書中で参考として援用する。
【発明を実施するための最良の形態】
【００２２】
（詳細な説明）
本発明の実施形態は、コンピュータおよび他の電子デバイスに適応可能な電力分配および機器取付システムを提供することによって上述のデーターセンタに関連付けられた問題を克服する。
【００２３】
図１は、典型的なデータセンター１００のレイアウトの図を示す。このデータセンター１００は、発生器１０２、ハイパワースイッチギア１０４、変圧器１０６、３つのＵＰＳ１０８Ａ、１０８Ｂ、および１０８Ｃ、４つの電力分配ユニット（ＰＤＵ）１１０Ａ、１１０Ｂ、１１０Ｃ、および１１０Ｄ、バッテリまたはバッテリのバンク１１２、機器ラックの２８個のロウ１１４を含む。データセンター１００では、変圧器１０６は、設備外部からまたは発生器外部から受信された電力の電圧を典型的には４８０ボルトの電圧レベルに低下させるために使用される。スイッチギアは、発生器および外部電源とＵＰＳとの間で電力のスイッチングを提供する。バッテリ１１２と結合しているＵＰＳは、各ＰＤＵに無停電電力を供給する。典型的には各ＰＤＵは、データセンターにおける各ラックの各々に電力を分配するための変圧器および電力分配回路（回路遮断器等）を含む。図１に示されるようなデータセンターに関連した問題は、本発明の背景に上述されている。
【００２４】
図２は、本発明の第１の実施形態によるデータセンター２００のレイアウトの図を示す。データセンター１００と同様に、データセンター２００は、発生器２０２、スイッチギア２０４、ならびに変圧器２０６および機器のラックの４２個のロウ２１４を含む。データセンター２００は、大きいＵＰＳ１０８Ａ、１０８Ｂ、１０８Ｃ、および１０８Ｄ、バッテリ、ならびにデータセンター１００の大きいＰＤＵ１１０Ａ、１１０Ｂ、１１０Ｃ、および１１０Ｄを含まない点でデータセンター１００とは異なる。むしろ、データセンター１００は、機器のラックにわたって分配されるバッテリおよびＰＤＵラック２１０を有するＵＰＳラック２０８を含む。図２に示されるような本発明の一実施形態では、機器２１４の各ロウは、ロウの各末端に配置されたＵＰＳラック２０８およびＰＤＵラック２１０を含む。
【００２５】
図２では、各ラックのロウ２１４は１４個のラックを含む。本発明の実施形態では、ラック内の機器のラックの数および機能は変更し得る。図３は、本発明の実施形態で使用された例示的なラックのロウ２１４を示す。ラック２１４のロウは、ＵＰＳラック２０８Ａおよび２０８Ｂ、ＰＤＵラック２１０Ａおよび２１０Ｂ、ならびに３つのサーバラック２２０Ａ、２２０Ｂ、および２２０Ｃ、ストレージアレイラック２２２、およびルーターラック２２４を含む５つの機器ラックを含む合計９ラックを含む。本発明の実施形態では、このラックは、例えば、Ａｍｅｒｉｃａｎ  Ｐｏｗｅｒ  Ｃｏｎｖｅｒｓｉｏｎ  ｏｆ  Ｗ．Ｋｉｎｇｓｔｏｎ，ＲＩの商標名ＮＥＴＳＨＥＬＴＥＲ（Ｒ）として入手可能な標準１９インチラックに改変され得る。
【００２６】
このサーバラックは、変換スイッチ２２８とともに複数のサーバ２２６を含む。当業者に理解されるように、サーバは、複数の出所から市販で入手可能なネットワークサーバであり得る。変換スイッチ２２８は、ラックの主電源と冗長電源との間でスイッチングするために、本発明のいくつかの実施形態において使用される。各ラックにおいて分配された変換スイッチの使用は、１つの中央に配置された変換スイッチを有する従来技術のシステムにわたって著しい利益を提供する。ここのラックにおけるこの分配された変換スイッチの使用は、設備における中央電源とラックにおける中央電源との間の分配システムにおいて発生し得る故障から保護することによってラックに対する利用可能性を増加させる。
【００２７】
ストレージアレイラック２２２は、ＥＭＣ  Ｃｏｒｐｏｒａｔｉｏｎ  ｏｆ  Ｈｏｐｋｉｎｔｏｎ，ＭＡから利用可能なデータストレージ機器を収容するために使用される。さらに、ストレージアレイラックは、サーバ、ルータ、または他の機器のために使用され得る。さらに、タワーサーバ等の他の非ラックデバイスが本発明の電力分配システムによって給電され得る。
【００２８】
ルータラック２２４は、ＤＣ整流器２３０、ルータ２３２、およびスイッチ２３４を収容する。ルータおよびスイッチは、当業者に周知の通信デバイスである。ＤＣ整流器が使用されて、ルータラックに含まれた電力ＤＣデバイスに給電するためにＡＣ電力をＤＣ電力に変換する。
【００２９】
ＵＰＳラック２０８Ａおよび２０８Ｂの各々は、モジュラー無停電電源装置（ＵＰＳ）を含む。各ＵＰＳは、複数の電力モジュール２３６、複数のバッテリモジュール２３８、およびインテリジェンスモジュール２４０を含む。このインテリジェンスモジュール２４０は、ＵＰＳ内に含まれたサブシステムの制御を提供する。この電力モジュールは、調整された出力ＡＣ電力を供給し、バッテリモジュールのためのＤＣ充電電流を供給し、設備電力の破壊に応じて、バッテリモジュールからのＤＣ電力をＡＣ電力に変換する。このバッテリモジュールは、設備電力の破壊に応じてバックアップ電力を電力モジュールに供給する。
【００３０】
一実施形態では、電力モジュールおよびバッテリモジュールは、異なる負荷要求を適応させることによって経済的かつ拡張可能な設計を提供するためにＵＰＳに個々に追加されてもよいし、ＵＰＳから除去されてもよい。さらに、複数の電力モジュールおよびバッテリモジュールの使用は、電力モジュールまたはバッテリモジュールのいずれかの故障にもかかわらず、ＵＰＳの継続された動作を可能にすることによって各ＵＰＳにおいて冗長性を提供する。一実施形態では、ＵＰＳは、Ａｍｅｒｉｃａｎ  Ｐｏｗｅｒ  Ｃｏｎｖｅｒｓｉｏｎ  Ｃｏｒｐｏｒａｔｉｏｎから入手可能なＳｙｍｍｅｔｒａ（Ｒ）ＵＰＳ等のＵＰＳを用いて、および「Ｍｅｔｈｏｄ  ａｎｄ  Ａｐｐａｒａｔｕｓ  ｆｏｒ  Ｐｒｏｖｉｄｉｎｇ  Ｕｎｉｎｔｅｒｒｕｐｔｉｂｌｅ  Ｐｏｗｅｒ」と題された米国特許第５，９８２，６５２号（本明細書中で参考として援用される）に説明されたように実装され得る。本発明の実施形態では、ＵＰＳラックは、ＵＰＳコンポーネントのための前後の冷却を提供するように構成され得る。
【００３１】
図２および図３に示された実施形態では、あるＵＰＳラックおよび１つのＵＰＳラックがラックのロウの各末端に含まれる。以下にさらに説明されたように、２つのＵＰＳおよび２つのＰＤＵの使用は、ＵＰＳの１つおよび／またはＰＤＵの１つが完全に故障する場合、電力がラックに供給され続ける得る点においてさらなる冗長性を提供する。２つのＵＰＳおよびＰＤＵの使用は、冗長電源を有するデータセンターで動作する能力を提供し、ラックの各々に冗長電力を供給する。データセンター内のラックに典型的に含まれたいくつかのサーバおよび他の機器は、冗長性目的のために２つの電源入力を有する。冗長性電力を供給する本発明の実施形態では、冗長性入力を有するこれらの機器が適応され得る。さらに、変換スイッチの使用は、冗長入力を有さない機器が冗長源から給電されることを可能にする。この変換スイッチは、電力を冗長電力システムから受け取り、２つの入力システムの１つから出力電力を供給する。
【００３２】
当業者に理解されるように、本発明は、図２および図３に示されたような２つのＵＰＳおよび２つのＰＤＵを有するシステムに限定されないが、むしろ１つのみのＵＰＳおよびＰＤＵ、ならびに２つより多くのＵＰＳおよびＰＤＵを有するシステムを含む。
【００３３】
ＰＤＵラック２１０Ａおよび２１０Ｂは、電力変換、回路遮断器保護、および入力電力のロウ内の各ラックへの分配を提供する。各ＰＤＵラックは、２つの回路遮断器分配パネル２４２Ａおよび２４２Ｂ、サービスバイパススイッチ２４４、入力回路遮断器２４１、および変圧器２４６を含む。このサービスバイパススイッチはスイッチ２４３、２４５、および２４７を含む。図４は、本発明の一実施形態においてＰＤＵとＵＰＳ２０８Ａとの間の接続と共にＰＤＵ２１０Ａ（ＰＤＵ２１０Ｂは、実質的にＰＤＵ２１０Ａと同一である）の機能的ブロック図を示す。図４に示された実施形態では、変圧器２４６は、ＰＤＵラックの三相入力電力４８０ボルトを受け取り、ＰＤＵラックに対する三相電力２０８ボルトを供給する。本発明の他の実施形態では、ローカル電力の特性に依存して、変圧器は、他の入力電圧および出力電圧に対して設計され得、全体のＰＤＵは、単相電力に対して設計され得る。図４では、簡略化のために、単一の接続がデバイスの各々間で示される。当業者に理解されるように、電力の各相のための個々の接続、中性および随意のシャーシグラウンドは、各デバイスの間に実際に提供される。
【００３４】
図４において示された実施形態では、ＵＰＳラックは、変圧器から電力を受け取り、この入力電力が所定の許容差の範囲内にある場合、その電力は、ＰＤＵラックに戻るように経路設定される。その電力が許容差の範囲内にない場合、または電力出力がある場合、ＵＰＳラックは、バッテリバックアップモードにスイッチングし、ＵＰＳによって生成された電力をＰＤＵラックに供給する。分配パネル２４２Ａおよび２４２Ｂは、回路遮断器を含み、三相電力２０８ボルトが機器ラックに分配され得る複数のコンセントポイントに供給する。図４では、分配パネルは７つのアウトレット回路（ｏｕｔｌｅｔ  ｃｉｒｃｕｉｔ）を有する。本発明の他の実施形態では、多かれ少なかれアウトレット回路を有する分配パネルが使用され得る。さらに、本発明の実施形態では、ＰＤＵラックは、ヒューズ、ならびに電圧および／または電流モニタを含み得る。
【００３５】
バイパススイッチ２４４がＰＤＵ内に含まれ、ＵＰＳを置換するためまたは任意の他の理由のために、ＵＰＳの故障に応じて分配パネルに電力を直接供給するようにＵＰＳの手動バイパスを提供する。ＰＤＵにおけるバイパススイッチの使用は、ＵＰＳが故障によってまたはアップグレードするために置換されることを可能にすることによって、従来技術を越える本発明の実施形態において著しい利点を提供する。４８０ボルトのＵＰＳを使用する従来技術のデータセンターでは、バイパススイッチのコストおよび４８０ボルトのパワーを使用しなければならないスイッチの大きさは、しばしばその使用を禁止させる。
【００３６】
図４に示された実施形態では、バイパススイッチは、実際には、３つのスイッチ２４３、２４５、および２４７を含む。上述されたように、３つのスイッチの使用は、ＵＰＳがオフにされる場合、連続的電力を供給し、スイッチングの間に発生し得る過渡現象およびアークを低減する。通常動作の間、スイッチ２４３および２４７は閉じた位置にあり、スイッチ２４５は開いた位置にあり、全ての電力をＵＰＳを介して経路設定する。ＵＰＳをバイパスすることが望ましい場合、スイッチ２４５がまず閉じ、スイッチ２４３および２４７が開く。同様に、システム内でＵＰＳバック（ｂａｃｋ）を加えることを望む場合、スイッチ２４３および２４７はスイッチ２４５を開く前に閉じる。
【００３７】
図３に示されるように、本発明の一実施形態では、ＰＤＵラックへの入力電力は、例えば上げ床を貫通してラックの下から受信される。他の実施形態では、ＰＤＵラックへの入力電力は、ＰＤＵラックの屋根またはラックの後方を貫通して受信され得る。ＰＤＵラックからＵＰＳラックへの電力は、ラックの屋根を越えてラックの側面を貫通するかまたはラックの下の上げ床を貫通するかのいずれかによって延びる。
【００３８】
本発明の実施形態では、ＰＤＵラックの分配パネルから機器ラックの各々への電力の分配は、種々の長さ（ｌｅｎｇｔｈ）の複数の可撓性電力ケーブルを用いて達成される。図３に示される実施形態では、可撓性ケーブルは、ＰＤＵラックの上部および頭上のトラックを介して機器ラックに経路設定される。本実施形態では、電力ケーブルの各々は、標準的な電力コネクタを用いて終端され、機器ラックの各々が電力ケーブル上の標準的なコネクタに対して係合するコネクタを有する入力電力ケーブルを有することによって、機器ラックの各々が電気技術者の必要なしにＰＤＵに簡単に接続されることを可能にする。一実施形態では、ラックに対する入力電力ケーブルは、ラックに取付けられた電力レセプタクルユニットの電力コードである。
【００３９】
図５は、一実施形態ではサーバラック２２０Ａ、２２０Ｂ、および２２０Ｃのために使用されるラック２５０の等角図である。図５では、ラック２５０は正面扉２５２を含むが、側面パネルおよび背面扉は示されていない。このラックは、正面部２５４および背面拡張部２５６を含む。正面部２５４は、１９インチのラック取付可能なサーバおよび他の機器を含むように使用される。この背面拡張部２５６は、ラックに取付けられた機器間の電力および信号分配のために使用される。この背面拡張部は、第１の側面パネル２５８、第２の側面パネル２６０、および屋根部２６６を含む。この屋根部は、第１の開口部２６８および第２の開口部２７０を含む。この第１の開口部２６８および第２の開口部は、データおよび電力ケーブルをラックの内外に送るために使用される。
【００４０】
図５のラックでは、電力レセプタクルユニット２６２がブラケット２６４Ａおよび２６４Ｂを用いて第１の側面パネル２５８に取付けられる。電力レセプタクルユニット２６２は、電力レセプタクルユニットのための電力コード（図５に示されない）を受け取るように開口部２７２を有する。同様に、第２の電力レセプタクルユニットは、第２の側面パネル２６０に取付けられ得る。図６に示されるように、代替の実施形態では、電力レセプタクルユニット２６２は、突出した（ｒａｉｓｅｄ）ブラケット２６３Ａおよび２６３Ｂ上に取付けられる。機器およびラックの背面扉の構成に依存して、突出したブラケットの使用は、電力レセプタクルユニットの電力コンセントにより大きな可触性を提供し得る。以下にさらに説明されるように、他の実施形態では、電力レセプタクルユニットは、設置または除去のためにブラケットの使用なしでまたは治具を必要と背図にラックにとり付けられ得る。突出したブラケットの使用を示すことに加えて、図６のラック２５０はまた、除去された正面扉と共に示される。
【００４１】
本発明の実施形態では、図７を参照して説明されたように、１つ以上のトラックは、上方電力トラックおよび上方電力トラックを含み、これら両方は、ラックの扉に取付けられる。この電力トラックは、電力ケーブルを１つのトラックから別のトラックに側面間の方向に送るために使用される。このデータトラックは、データケーブルを１つのラックから別のラックに側面間の方向に送るために使用される。ＰＤＵラックとＵＰＳラックとの間に電力を走らせるため、およびそのラック間にデータケーブルを走らせるために使用された経路に依存するＵＰＳラック上の上方トラックの使用は、随意である。そのラックが任意の長さのラックのロウのために連続的トラックを作成するために並んで配置される場合、１つのラックのトラックは、隣接するラックのトラックに並べるように設計される。
【００４２】
図７は、ラック２０８Ａ、２１０Ａ、２２０Ａ、２２０Ｂ、および２２０Ｃ（図３）の上面図であり、図７は、ラックの各々の上面パネル２７２、２７４、２７６、２７８、および２８０を示し、これらのラックの間を延びる電力トラック２８２Ａ、２８２Ｂ、２８２Ｃ、２８２Ｄ、および２８２Ｅ、ならびにデータトラック２８４Ａ、２８４Ｂ、２８４Ｃ、および２８４Ｄをさらに示す。図７の上面図は、電力ブリッジトラック２８６Ａおよび２８６Ｂ、ならびにデータブリッジトラック２８８Ａ、２８８Ｂ、および２８８Ｃをさらに示す。このブリッジトラックは、例えば、通路によって分離された２つのロウにおいて配置された２つのラックのトラックを接続させ、電力ケーブルおよびデータケーブルが別の通路内の１つのラックからあるラックに送ることを可能にするように本発明の実施形態において使用される。同様に、ブリッジトラックは、データケーブルのために使用され得る。サーバラックの上部パネルは、２８２Ｃ、２８２Ｄ、および２８４Ｅは、ＵＰＳおよびＰＤＵラックの上部パネル２８２Ａおよび２８２Ｂよりも長い。より長い上部パネルは、サーバラックの背面拡張部（図５）を越えて延びる。
【００４３】
各電力トラックは、入力電力ケーブルがラックの上部における開口部から電力トラックに送る入力電力ケーブルを可能にするためのスロット２９８を有し、データトラックの各々は、データケーブルがラックの上部の開口部からデータトラックに送ることを可能にするための開口部３００を有する。各電力トラックは、データケーブルが電力トラックの下からラックの上部の開口部に送ることを可能にするようにトンネル２９６を有する。他の実施形態では、データトラックは、電力ケーブルを下に送ることを可能にするようにラックの屋根から上昇させ得る。
【００４４】
図７では、５つの可撓性電力ケーブル２９０Ａ、２９０Ｂ、２９０Ｃ、および２９０ＤがＰＤＵの上部を通過させる。ケーブル２９０Ａは、コネクタ対２９４Ａとの係合を介してサーバラックＡの入力電力ケーブル２９２Ａと係合し、ケーブル２９０Ｂは、コネクタ対２９４Ｂとの係合を介してサーバラックＢの入力電力ケーブル２９２Ｂと係合し、ケーブル２９０Ｃは、コネクタ対２９４Ｃとの係合を介してサーバラックＣの入力電力ケーブル２９４Ｃと係合する。電力ケーブル２９０Ｄは、電力トラックを介してＰＤＵから電力ブリッジトラック２８６Ａに通過させる。電力ケーブル２９０Ｅは、電力トラックを介してＰＤＵから電力ブリッジトラック２８６Ｂに通過させる。データケーブル３０２は、データトラック内部を走り、ホール３０４および３０６のいずれかを介してラックに通過させる。データケーブルはまた、データブリッジトラック２８８Ａ、２８８Ｂ、および２８８Ｃを越えて他のラックに走らせ得る。
【００４５】
一実施形態では、可撓性電力ケーブルの各々は、ＰＤＵラックのデータセンターへの送達前にＰＤＵに予めワイヤリングされ、可撓性電力ケーブルがＰＤＵでパッケージングされ、ＰＤＵを用いて送られる。可撓性ケーブルの各々は、それが終端するＰＤＵラックから機器ラックまでの距離に基づいて調整される。本実施形態では、コンピュータ支援設計（ＣＡＤ）プログラムと共にシステムの設置計画を表す図面が使用され、可撓性電力ケーブルの必要な長さを決定し得る。ケーブルの長さが設置前に決定されるため、電力ケーブルの末端が設置前に終端され得、それにより、設置時では、設置プロセスの間に電力敗戦の任意の切断なしで電力ケーブルがラックに経路設定され得る。
【００４６】
図５を参照して上述されたように、機器ラックの各々は、２つの電力レセプタクルユニットを含み得る。各電力レセプタクルユニットは、対応するラックの機器に給電するための複数の出力レセプタクルを有し、電力分配ユニットによって提供された可撓性電力ケーブルの内の１つのコネクタに整合するコネクタを有する入力電力ケーブルを有する。本実施形態では、上述のように、機器ラックの各々への電力は、２０８ボルトの三相電力である。本実施形態では、ＰＤＵから機器ラックまでの電力ケーブルの各々は、少なくとも５つの線（その三相のそれぞれに対する１つの線、中性線、および接地線）を有する。一実施形態では、電力レセプタクルユニットの各々は、複数の群のレセプタクルを含み、レセプタクルの各群は３つの入力位相の内の１つから１２０ボルトを供給するように配線されるか、または２０８ボルトの電力を供給するように配線される。あるいは、本発明の実施形態では、各レセプタクルユニットの各コンセントは、またはコンセントの群は、回路遮断器、ヒューズ、またはレセプタクルユニット内部に含まれた同様なデバイスによる過負荷によって別個に保護され得る。
【００４７】
本発明の実施形態では、三相システムの三相の各々からの単相電力の各ラックの利用可能性は、三相システム上の負荷のバランスを著しく簡略化する。当該分野で公知のように、三相システムの各相で同じ電流を引き出すことが望ましい。典型的な従来技術のシステムでは、１つの相のみからの電力は、データセンターにおける各機器ラックにおいて利用可能である。従って、三相電力のバランスは、ラックレベルで発生しなければならない。これは、しばしば可変電力引き出しを有する設備を有するラックのためにとクライアントに達成することが非常に困難である。対照的に、本発明の実施形態では、三相電力のバランスが、レセプタクルユニットのコンセントの群からレセプタクルユニット内のコンセントの別のグループにラック内の機器をスイッチングすることによって達成され得る。
【００４８】
本発明のラック内の２０８ボルト電力および１２０ボルト電力の提供は、１２０ボルトおよび２０８ボルトの内の１つに対して典型的に配線される従来技術のラックに対してさらなる可撓性を提供する。さらに、図８および図９Ａ〜図９Ｃを参照して説明された一実施形態において、電力レセプタクルユニットは、治具を用いることなくレセプタクルユニットの置換を可能にするように除去可能にラックに接続される。
【００４９】
図８は、ラック２５０の第２の側面パネルに取付けられた電力レセプタクルユニット２６２を示す。図８に示されるように、第１および第２の側面パネルは、電力レセプタクルユニットを取付けるためのスロット３１０の対を含む。図８では、ラックの第１の側面パネルに対して、各スロットの対の内の１つのみが見える。電力レセプタクルユニット２６２は、レセプタクルユニットをラックに取付けるためにスロット３１０の２つの対に取付けるタブ３１２の対を含む。図８では、タブ３１２はスロットの最上部の対および最下部の対と係合するが、他の実施形態では、より短いレセプタクルユニットが他の対のタブと係合し得る。
【００５０】
図９Ａは、タブの対３１２の１つを含むレセプタクルユニット２６２の一部の上面図を示し、図９Ｃは、レセプタクルユニット２６２の一部の側面図を示す。図９Ｂは、スロットの対３１０の１つを示す第２の側面パネル２６０の一部の正面図を詳細に示す。図９Ｃを最良に見た場合、タブ３１２の各々は、上部部分３１４およびネック３１６を有する。レセプタクル２６２を取付ける場合、上部部分３１４がスロット３１０のより大きい部分を貫通して挿入され、次いでレセプタクルは、ネック３１６がスロット３１０の狭い部分にあるように移動され、それによりタブの上部部分は、スロット内のレセプタクルユニットを保持する。
【００５１】
本発明のラック内のレセプタクルユニットを容易に置換する能力は、より多くの種々の機器に適応することに対するさらなるフレキシビリティを提供する。例えば、全て１２０ボルトのアウトレットを有するレセプタクルユニットは、１２０ボルトおよび２０８ボルトのコンセントの混合、または１２０ボルトの機器が２４０ボルト機器によって置換される場合に全ての２０８ボルトのコンセントを有するレセプタクルユニットで置換され得る。
【００５２】
上述のように、機器ラックの各々が、２つの異なるＰＤＵおよび２つの異なる可撓性の電力ケーブルを介して２つの異なるＵＰＳに接続された２つの電力レセプタクルユニットを有し得る。図２および図３を参照して上述されたように、一連の機器ラックに給電するための２つのＵＰＳおよび２つのＰＤＵラックを有する一実施形態では、機器ラックは、ロウの互いの末端において配置された１つのＵＰＳおよび１つのＰＤＵラックを用いてロウ内に配置される。ＰＤＵをロウの反対の末端に配置することによって、上方のトラックの任意の時間におけるケーブルの数が均一であり得る。本発明の他の実施形態では、機器ラックは、一直線状のロウに含まれる必要がないが、むしろ、複数のロウに存在してもよいし、非直線状の態様で配置されてもよい。トラック間の上方ブリッジは、非隣接ラック間の可撓性ケーブルを走らせるために使用され得る。
【００５３】
一実施形態では、各ＵＰＳ、ＰＤＵ、および電力レセプタクルユニットは、共通の通信バスを介してコントローラによってモニタリングする状態のための通信回路を含み得る。図１０は、本発明の電力分配ネットワークの複数のレセプタクル２６２、１つのＵＰＳ、および１つのＰＤＵを示す。このネットワークは、電力分配システムの状態モニタリングを可能にするように、通信バス３１８を介してコントローラ３２０に接続される。通信バスは、複数の公知のネットワークトポロジーの任意の１つを用いてインプリメントされ得、そして一実施形態では、ＳＮＭＰおよびＨＴＴＰを加えたＩＰを介して共通アプリケーション規格（Ｃｏｍｍｏｎ  Ａｐｐｌｉｃａｔｉｏｎ  Ｓｔａｎｄａｒｄ  ＣＡＬ）の改変されたバージョンを用いてインプリメントされる。別の実施形態では、通信バスは、送電線キャリアネットワークを用いてインプリメントされ得る。
【００５４】
一実施形態では、コントローラは、ＳＮＭＰ、ＨＴＴＰ、またはいくつかの他の公知のプロトコルを用いるＩＰベースのネットワークに統一された情報を提供する。このコントローラはまた、ＩＰネットワークから通信バスへのアクセスを妨げるようなソフトウエアを含み得る。このコントローラは、機器ラックの１つ、ＰＤＵラック、またはＵＰＳラックに取付けられ得る。
【００５５】
本発明の一実施形態では、レセプタクルユニットのいくつかまたは全ては、レセプタクルを通った全電流またはレセプタクルのコンセントの各々を通った電流をモニタリングするための電流（または電力）モニタリングデバイスを含む。本実施形態では、レセプタクル内で計測された電流は、通信バスを通ってコントローラに通信され得ることにより、コントローラが現在のまたは近い将来の（ｉｍｐｅｎｄｉｎｇ）過電流条件を検出することを可能にする。一実施形態では、通信バスに接続されたさらなる電流（または電力）モニタは、電力分配ネットワークを介して分配されて、電流（電力）値をコントローラに提供し得る。さらに、レセプタクルの各々は、さらなるデバイスがそのユニットから給電され得るかどうかを決定するために、レセプタクルユニットのための電流または電力引き出しを表示するディスプレイを有し得る。さらに、２００２年１月２日に出願された、ＭＥＴＨＯＤＳ  ＡＮＤ  ＡＰＰＡＲＡＴＵＳ  ＦＯＲ  ＰＲＥＶＥＮＴＨＩＮＧ  ＯＶＥＲＬＯＡＤＳ  ＯＦ  ＰＯＷＥＲ  ＤＩＳＴＲＩＢＵＴＩＯＮ  ＮＥＴＷＯＲＫＳと題された
同時継続中の米国特許出願第「まだ割り当てられていない」号（本出願の譲受人に譲受され、本明細書中で参考として援用する）に説明されたように、コントローラおよび電力モニタリングデバイスは、電力分配システムにおける最大電力レベルを決定するために機器ラック内に含まれたコンピュータに含まれたソフトウエアと共に、コントローラと接続して使用され得る。
【００５６】
図３では、ＵＰＳは、ラックのロウの末端に配置される。本発明の実施形態は、ＵＰＳラックがこの末端に配置されるシステムに限定されないが、上述のように、本発明の実施形態では、ロウの末端にＵＰＳを配置させることが有利である。特に、ロウの末端におけるＵＰＳの配置は、修理またはアップグレードのための置換のためにＵＰＳへの簡単なアクセスを可能にする。さらに、上述のように、２つのＰＤＵを有する冗長電力システムでは、ロウの末端におけるＰＤＵの配置は、ラックのロウ内の任意のポイントに置ける複数のケーブルが均一を維持することを可能にする。にもかかわらず、本発明の他の実施形態では、ＵＰＳおよびＰＤＵは、ロウの中心内にまたはラックのロウにおける任意の他のポイントに設置され得る。
【００５７】
上述の実施形態では、ラックはロウ内に配置されるものとして説明される。異なる実施形態では、ラックのロウは直線状のロウ、曲がったロウであり得、ラック間に空間（すなわち、通路）を有するか、またはいくつかの他の構成において配置される。
【００５８】
従って、本発明の少なくとも例示的な実施形態を説明してきたが、種々の変更、改変、および改良が当業者に容易に想起される。このような改変、変更、および改良は、本発明の範囲および精神内で意図される。従って、上述の説明は、例示のみによるものであり、制限として意図されない。本発明の限定は、上掲の特許請求の範囲およびその均等物においてのみ定義される。
【図面の簡単な説明】
【００５９】
【図１】図１は、従来技術のデータセンターの典型的なレイアウトを示す。
【図２】図２は、本発明の第１の実施形態によるデータセンターのレイアウトを示す。
【図３】図３は、図２のデータセンターにおいて使用された機器ラックのロウを示す。
【図４】図４は、機器ラックのロウにおいて使用された電力分配ユニットおよび無停電電源装置の機能的ブロック図を示す。
【図５】図５は、本発明の実施形態による電力レセプタクルユニットを有する機器ラックのフレームの斜視図である。
【図６】図６は、電力レセプタクルユニットのための代替的な取付技術を示す、図５の機器ラックの斜視図である。
【図７】図７は、ラック間のケーブルの経路設定を示す、本発明の機器ラックの上面図である。
【図８】図８は、電力レセプタクルユニットのための別の代替的な取付技術を示す、図５の機器ラックの斜視図である。
【図９Ａ】図９Ａは、図８の電力レセプタクルユニットの一部の上面図をより詳細に示す。
【図９Ｂ】図９Ｂは、図８のラックの電力レセプタクルユニットに対する取付部分を詳細に示す。
【図９Ｃ】図９Ｃは、図９Ａの電力レセプタクルユニット部分の側面図である。
【図１０】図１０は、本発明の実施形態において使用された通信の内部接続性を示す図である。
【図１】
2005509387.tif 000003
【図２】
2005509387.tif 000004
【図３】
2005509387.tif 000005
【図４】
2005509387.tif 000006
【図５】
2005509387.tif 000007
【図６】
2005509387.tif 000008
【図７】
2005509387.tif 000009
【図８】
2005509387.tif 000010
【図９Ａ】
2005509387.tif 000011
【図９Ｂ】
2005509387.tif 000012
【図９Ｃ】
2005509387.tif 000013
【図１０】
2005509387.tif 000014
【国際調査報告】
2005509387.tif 000015